(57)【要約】【課題】  １枚のカーテンの表裏を使い分けるだけで主として異なる季節感を演出することができるツーウェイカーテンを提供すること。【解決手段】  相互に異なる色彩からなる表生地１と裏生地２の少なくとも左右両側縁部を、長手方向全長に亘って二つ折りした幅広な布製縁取テープ３間に挿入し縫線４で縫着してなるツーウェイカーテンにおいて、前記布製縁取テープ３に表裏生地の両色彩を含んだ柄模様の生地を用いることとした。例えば、表生地１には青色単一色からなる生地を用いる一方、裏生地２には黄色単一色からなる生地を用い、布製縁取テープ３には同じ青色と同じ黄色を縞模様的に用いた柄模様生地を用いると、布製縁取テープ３が橋渡しとなって青色から黄色への切り替えが違和感なく自然な感じとなる。【選択図】  図１
2005198738.tif 000002
【特許請求の範囲】
【請求項１】
相互に異なる色彩からなる表生地と裏生地の少なくとも左右両側縁部を、長手方向全長に亘って二つ折りした幅広な布製縁取テープ間に挿入縫着したものであって、前記布製縁取テープには表裏生地の両色彩を含んだ柄模様の生地を用いてなるツーウェイカーテン。
【請求項２】
表生地と裏生地の色彩が、いずれも単一色である請求項１記載のツーウェイカーテン。
【請求項３】
表生地と裏生地のいずれか一方側に柄模様のない単一色の無地生地を用い、他方側に別な色彩を主とする柄模様生地を用いるとともに、布製縁取テープには両色彩を含んだ柄模様生地を用いたことを特徴とする請求項１記載のツーウェイカーテン。
【請求項４】
表生地と裏生地のいずれか一方側に寒色系で柄模様のない単一色の無地生地を用い、他方側に暖色系で柄模様のない単一色の無地生地を用いるとともに、布製縁取テープには両色相を含んだ柄模様の生地を用いたことを特徴とする請求項１記載のツーウェイカーテン。
【請求項５】
表裏各生地のいずれか一方側に寒色系の色彩を主体とする柄模様生地を用い、他方側に暖色系の色彩を主体とする柄模様生地を用いるとともに、布製縁取テープには表裏各生地において共通して含まれる色彩のみからなる単一色の無地生地を用いてなるツーウェイカーテン。
【請求項６】
布製縁取テープを、表生地側と裏生地側とで横幅が異なるように二つ折りしたことを特徴とする請求項１ないし請求項５いずれかに記載のツーウェイカーテン。
【発明の詳細な説明】
【技術分野】
【０００１】
本発明は、表裏両使い仕様のツーウェイカーテンに関するものであり、より詳しくは、表地側と裏地側で趣の異なる生地を採用しながらも、表裏いずれの生地を室内側として選択しても違和感なく使用することができるカーテンに関する。
【背景技術】
【０００２】
室内窓用カーテンは、装飾効果が高く、インテリアコーディネイトの重要な要素となるほか、室内に季節感を演出する機能もある。したがって、例えば、夏季においては寒色系の生地からなるカーテンを用い、冬季においては暖色系の生地からなるカーテンを用いれば、季節感があるインテリアデザインが実現でき理想的であるとされている。
【０００３】
しかしながら、一般家庭において夏季用と冬季用の２枚（２種類）のカーテンを購入して各季節毎に適宜交換使用することは、その経済性や使用しない他方のカーテンの保管スペース等を考慮すると負担が大きい。しかるに需要者は、やむを得ず季節の如何にかかわらず用いることができる当たり障りのない色相のカーテンを１枚のみ選択したり、あるいは、異なる季節にあっては多少違和感があるものの、好みの色相のカーテンを１枚のみ選択して使用するのが通例であった。
【０００４】
１枚のカーテンで異なる季節感を楽しむための方策として、カーテンの表地側と裏地側において各々異なる色相の生地を用いたリバーシブル又はツーウェイ仕様とすることが考えられるが、例えば表裏両生地を袋縫いした場合のように、表裏いずれの側をも室内側として用いることができるように表裏の軽重なく縫着製作するのは、縫着面積の大きなカーテンでは極めて煩雑な作業となってしまう欠点があった。
【０００５】
ところで、特開平８−２９４５９５号（特許文献１）では、重ね合わせた表裏生地の両側端縁を、幅方向に二つ折りした布製縁取テープの折片間に挿入し、全長に亘って一体的に縫着してなる裏地付きカーテンの縁取部の構造が提案されている。この発明においては、表裏面をリバーシブルに使用可能な二重縫製カーテン地とすることが開示されるとともに、縁取テープとしてカーテン表地と同一図柄模様の細幅帯状布地を用いて外観全体をシンプルにしたり、カーテン表地と異なった図柄模様の細幅帯状布地を用いて両側縁部にアクセントを持たせた外観とすることも提案されている。
【０００６】
【特許文献１】特開平８−２９４５９５号公報（第１及び第２頁）
【発明の開示】
【発明が解決しようとする課題】
【０００７】
確かに、前記発明に係るカーテンの縁取部の構造によれば、リバーシブルカーテンの縫製が容易であるし、カーテン縁取部の強度が高められる効果も得られるのであるが、カーテンの表裏生地につき寒色系と暖色系のように対極的な色相の生地をそれぞれ用いる場合には、両生地の境界部分に用いた布製縁取テープの存在がカーテン全体の美観において視覚的な違和感を与えることが多かった。
【０００８】
そこで、本発明では、前記布製縁取テープとカーテンの表裏生地との関係の調和を図ることによって、１枚のカーテンの表裏を使い分けるだけで主として異なる季節感を演出することができるツーウェイカーテンを提供することを課題とする。
【課題を解決するための手段】
【０００９】
前記所期の課題解決を図るために、本発明では、先ず、相互に異なる色彩からなる表生地と裏生地の少なくとも左右両側縁部を、長手方向全長に亘って二つ折りした幅広な布製縁取テープ間に挿入縫着してなるツーウェイカーテンにおいて、前記布製縁取テープに表裏生地の両色彩を含んだ柄模様の生地を用いることとした。
【００１０】
周知のように、色彩は色相、明度、彩度の三属性から構成されるから、本発明では、カーテンの表裏生地につき、例えば各々色相の異なる生地を用いたり、明度の異なる生地を用いたり、あるいは彩度の異なる生地を用いたり、場合によってはこれら三属性の組み合わせが異なる生地を用いながらも、両生地の視覚的な連続性が感得されるように両生地間に介在させた縁取テープの色彩や柄模様を選定することによって、色彩学（カラーコーディネイト）的観点からカーテン全体の調和を図ることにしたのである。布製縁取テープは少なくともカーテンの左右両側縁部に縫着されるが、場合によってはカーテンの上側縁部や下側縁部（裾部）に追加して縫着することにしてもよい。
【００１１】
具体的には、表生地と裏生地の色彩にいずれも単一色を採用するとして、両生地の色が同じ色相であっても明度の異なるものを用いながら、各明度の色を柄模様として取り込んだ生地を布製縁取テープに用いることで、視覚的連続性を実現することができるし、あるいは両生地の色の彩度を変えて、異なる彩度からなる色を柄模様として取り込んだ生地を布製縁取りテープに用いることでも視覚的連続性は得られる。
【００１２】
また、表生地と裏生地のいずれか一方側に柄模様のない単一色の無地生地を用い、他方側に別な色彩を主とする柄模様生地を用いるとともに、布製縁取テープには両色彩を含んだ柄模様生地を用いることによってもカーテン全体としての視覚的連続性を実現することができる。より具体的には、表生地と裏生地のいずれか一方側に寒色系で柄模様のない単一色の無地生地を用い、他方側に暖色系で柄模様のない単一色の無地生地を用いるとともに、布製縁取テープには両色相を含んだ柄模様の生地を用いることによって、夏季用と冬季用に適したツーウェイカーテンを提供できるわけである。
【００１３】
前記単一色の無地生地と柄模様生地との関係は、カーテン生地部分と縁取テープ部分とを反対にして用いることが可能である。すなわち、表裏各生地のいずれか一方側に寒色系の色彩を主体とする柄模様生地を用い、他方側に暖色系の色彩を主体とする柄模様生地を用いるとともに、布製縁取テープには表裏各生地において共通して含まれる色彩のみからなる単一色の無地生地を用いることにしても、カーテン全体としての視覚的連続性は実現される。
【００１４】
さらに本発明に係るツーウエイカーテンでは、前記発明に係るカーテンにおいて、布製縁取テープを表生地側と裏生地側とでその横幅が異なるように二つ折りすることによって、カーテン生地本体部分と縁取テープによる縁布部分のバランスが、カーテンの表裏で異なるものとした。
【発明の効果】
【００１５】
本発明に係るツーウェイカーテンでは、例えば表生地側を夏季用とする一方、裏生地側を冬季用としたり、同じ色相でありながら明度の異なる生地や彩度の異なる生地を用いるなど、カーテンの表と裏の表情や印象を異なるものとしつつ、これら表裏生地間を布製縁取テープで調和させてカーテン全体としての視覚的連続性を確保することにより、季節や昼夜、演出したい雰囲気の相違に応じて１枚のカーテンの表裏を使い分けながらインテリアコーディネイトを図ることが可能となる。また、季節外のカーテン等の保管場所も不要となる。
【００１６】
さらに、重ね合わせた表生地と裏生地を挟むように縫着される布製縁取テープの折幅寸法をカーテンの表裏で変更することにより、表裏各側におけるカーテンの印象や趣を大きく変えることができ、季節等に応じたインテリアのイメージチェンジをより一層楽しむことができるようになる。
【発明を実施するための最良の形態】
【００１７】
以下、図面に基づいて本発明に係るツーウエイカーテンを説明する。図１は本発明に係るツーウエイカーテンの一例を示した横断面図、図２はツーウエイカーテンの他の例を示した横断面図、図３はツーウエイカーテンのさらに別な例を示した横断面図であるが、各例は、表生地１と裏生地２を合わせた左右両側縁部に対する布製縁取テープ３の縫着方法が相違しているのみである。
【００１８】
すなわち、幅広な布製縁取テープ３を長手方向全長に亘って二つ折りし、この布製縁取テープ３間にカーテンの表生地１と裏生地２を合わせた左右両側縁部を挿入して縫着する点では図１ないし図３のいずれの例も共通しているのであるが、図１の例では、二つ折りした布製縁取テープ３の両側端縁を更に内側に折り返して折片３ａを形成してから縫線４によって一括縫着しているのに対し、図２の例では二つ折りした布製縁取テープ３の片側端縁のみを内側に折り返して折片３ａを形成しつつ他方側端縁については折片を形成することなくそのまま縫線４により縫着している点が相違している。また、図３の例では、布製縁取テープ３を単に二つ折りしただけで表生地１と裏生地２の両側縁部を覆うように縫線４により縫着している点が相違している。
【００１９】
本発明に係るツーウエイカーテンは、以上のような縫着方式の相違にかかわらず、表生地１と裏生地２そして布製縁取テープ３の各色彩バランスを調和させることにより、異なる表生地１と裏生地２を用いた場合においても両生地間に介在させた布製縁取テープ３により視覚的連続性を確保することを特徴とするものである。
【００２０】
例えば、表生地１には青色単一色からなる生地を用いる一方、裏生地２には黄色単一色からなる生地を用い、布製縁取テープ３には同じ青色と同じ黄色を縞模様的に用いた柄模様生地を用いると、布製縁取テープ３が橋渡しとなって青色から黄色への切り替えが違和感なく自然な感じとなるわけである。また、表生地１には濃い青色を用いる一方、裏生地２には淡い青色を用い、布製縁取テープ３には前記濃い青色の水玉が淡い青色の地色に浮かんだ柄模様生地を用いるといった例も挙げられる。表生地１、裏生地２及び布製縁取テープ３には、他の色彩が補色的に用いられていてもよい。
【００２１】
さらに、表生地１側に寒色系たる青色を主体としながら緑色が混在した柄模様生地を用いる一方、裏生地２側に暖色系たる黄色を主体としながら緑色が混在した柄模様生地を用い、布製縁取テープ３には表裏両生地において共通して含まれている前記中間色となる緑色のみからなる単一色の無地生地を用いると、やはり布製縁取テープ３が橋渡しをして表生地１と裏生地２への切り替えが自然な感じとなるのである。なお、中間色として用いる緑色については、表生地１と裏生地２とで明度や彩度の異なる緑色を採用してもよく、その場合、布製縁取テープ３については、異なる明度・彩度からなる緑色の柄模様生地を採用してもよい。
【００２２】
図４は、布製縁取テープ３の横幅を表生地１側と裏生地２側とで異なるようにした例の横断面図である。図示されるように、各布製縁取テープ３は、表生地１側に表れる部分よりも裏生地２側に表れる部分の横幅が長くなるように二つ折りされて、表生地１側は縫線４aにより、裏生地２側は縫線４ｂにより、それぞれ縫着されている。もとより、布製縁取テープ３の折り方は図示された例に限定されるものではなく、左右両側ともに裏生地２側が幅広になるようにしてもよいし、左側と右側とで広狭関係を逆転させるよう配設してもよい。
【図面の簡単な説明】
【００２３】
【図１】本発明に係るツーウエイカーテンの一例を示した横断面図である。
【図２】本発明に係るツーウエイカーテンの他の例を示した横断面図である。
【図３】本発明に係るツーウエイカーテンのさらに別な例を示した横断面図である。
【図４】本発明に係るツーウエイカーテンにおいて、布製縁取テープの横幅を表生地側と裏生地側とで異なるようにした例の横断面図である。
【符号の説明】
【００２４】
１      表生地
２      裏生地
３      布製縁取テープ
３ａ    折片
４、４ａ、４ｂ    縫線
【図１】
2005198738.tif 000003
【図２】
2005198738.tif 000004
【図３】
2005198738.tif 000005
【図４】
2005198738.tif 000006